(57)【特許請求の範囲】
【請求項１】
木材またはプラスチックから成る底板のための水平支持アームを備えた金属製の引き出しフレームまたは引き出しレールにおいて、
前記水平支持アームから多数のタブが、該水平支持アームの長手方向に延びる両側部を有する状態で、該水平支持アームの長手方向に整列されて打ち抜かれ、
前記それぞれのタブは、その中に上向きのかぎ爪（４）を含み、
前記上向きのかぎ爪（４）は、それぞれ、タブ（８）の前記両側部のうちの片側に配置され、同様に前記水平支持アーム（７）の長手方向に整列されていることを特徴とする引き出しフレームまたは引き出しレール。
【請求項２】
上向きで、前記水平支持アーム（７）の長手方向に整列するかぎ爪（４）は、それぞれ、タブ（８）の片側にだけ配置されていることを特徴とする請求項１に記載の引き出しフレームまたは引き出しレール。
【請求項３】
前記各タブ（８）は１つのかぎ爪（４）だけを備えることを特徴とする請求項２に記載の引き出しフレーム。
【請求項４】
前記タブ（８）は、かぎ爪（４）と対向する側でそれ自体周知な側へ突出する少なくとも１つの鋸歯（１２、１３）を備えていることを特徴とする請求項１乃至３のいずれかに記載の引き出しフレームまたは引き出しレール。
【請求項５】
前記タブ（８）は、前記水平支持アーム（７）の非対称の閉鎖スリット（９）から曲げ出されることを特徴とする請求項１乃至４のいずれかに記載の引き出しフレームまたは引き出しレール。
【請求項６】
前記タブ（８）は、かぎ爪（４）の区域で、かぎ爪（４）に垂直に整列される折り縁（１４）を備えることを特徴とする請求項１乃至５のいずれかに記載の引き出しフレームまたは引き出しレール。
【請求項７】
前記水平支持アーム（７）は、閉鎖スリット（９）およびタブ（８）により中断される縦に走る溝（１５）を備えることを特徴とする請求項１乃至６のいずれかに記載の引き出しフレームまたは引き出しレール。
【請求項８】
前記かぎ爪（４）は、前方で短い急峻な縁（１０）により限定され、後方で長い縁（１１）により限定されることを特徴とする請求項１乃至７のいずれかに記載の引き出しフレームまたは引き出しレール。
【請求項９】
前記前方縁（１０）は、タブ（８）の前方区域（８′）に対して直角に整列されることを特徴とする請求項８に記載の引き出しフレームまたは引き出しレール。
【請求項１０】
前記タブ（８）は、別のかぎ爪（２０）が形成される肩部（１６′）を備えた幅広区域（１６）を備えることを特徴とする請求項１乃至９のいずれかに記載の引き出しフレームまたは引き出しレール。
【請求項１１】
前記タブ（８）の幅広区域（１６）の肩部（１６′）に形成されるかぎ爪（２０）は、タブ（８）の整列に対して傾斜して整列されることを特徴とする請求項１０に記載の引き出しフレームまたは引き出しレール。
【請求項１２】
木材またはプラスチックから成る底板のための水平支持アームを備えた金属製の引き出しフレームまたは引き出しレールにおいて、
前記水平支持アームから多数のタブが打ち抜かれ、
前記タブは水平支持アームの長手方向に整列され、上向きのかぎ爪を備え、
前記タブ（８）は後方で肩部（１６′）を備えた幅広区域（１６）を備え、上向きかぎ爪（４）はタブ（８）の先端およびタブ（８）の幅広区域（１６）の肩部（１６′）に形成されることを特徴とする引き出しフレームまたは引き出しレール。
【請求項１３】
下側に２つの溝を備えた底板を有し、前記溝は水平支持アームによりカバーされ、
該水平支持アームの前記溝の対応位置には、多数のタブが整列されて打ち抜かれ、
該打ち抜かれたタブが上方に曲げられて前記溝内へ突入し、
前記底板（５）に爪を立てるタブ（８）の区域は、溝（６）の長手方向で整列され、前記爪の折り曲げた側壁面が前記溝（６）の側壁（１９）面と平行になるかぎ爪（４）により溝（６）の側壁（１９）に爪が立てられることを特徴とする引き出し。
【発明の詳細な説明】
【０００１】
【発明の属する技術分野】
この発明は、木材またはプラスチックから成る底板のための水平支持アームを備えた金属製の引き出しフレームまたは引き出しレール、及び引き出しフレームまたは引き出しレールを備えた引き出しに関するものであり、多数のタブが水平支持アームから打ち抜かれ、前記タブは支持アームの長手方向に整列され、上向きのかぎ爪を備える。
【０００２】
【従来の技術】
ＥＰ０４２９４２８  Ａ２から、側方の鋸歯を備えたタブが外側に曲げられる底板のための支持アームを有する金属製の引き出しフレームは周知である。タブは組立位置で、引き出しフレームに平行に整列する底板の下側に設けた溝に突入する。ドイツ実用新案９３０３９０３から、さらに、底板のための支持アームを有する金属製引き出しフレームは周知である。自由端部に上向きのかぎ爪を備えるタブが支持アームから突出する。組立状態で、かぎ爪は底板の木材に押し込まれる。
【０００３】
欧州特許公報０４２９４２８  Ａ２による実施例では、底板はその下側に、引き出しフレームと連結するために２つの溝を備えねばならない一方、ドイツ実用新案９３０３９０３による実施例では、ともかく、引き出しフレームのタブとの爪立てができないので、底板には溝を設けることができない。
【０００４】
【発明が解決しようとする課題】
この発明の課題は、下側に溝を設けた底板や溝を設けていない底板にも、爪立てでき、または、連結できる引き出しフレームまたは引き出しレール、及び引き出しフレームまたは引き出しレールを備えた引き出しを提供することである。
【０００５】
【課題を解決するための手段】
この発明による課題は、上向きかぎ爪がそれぞれ、タブの一方の側に配置され、同様に、支持アームの長手方向に整列されることにより解決される。
【０００６】
この発明による引き出しフレームまたは引き出しレールを備えた引き出しは、底板に爪を立てるタブの区域が、溝の長手方向に整列されるかぎ爪と、溝の側壁で爪を立てられることを特徴としている。
【０００７】
底板の固定は、この発明による実施例では、タブがかぎ爪に対向する側で側方へ突出する少なくとも１つの鋸歯を備えることにより改良される。
【０００８】
タブが非対称で支持アームの閉鎖スリットから曲げ出されるのが都合がよい。
【０００９】
タブまたはかぎ爪と、底板間の連結は、この発明の別の実施例によると、タブが、かぎ爪の区域でかぎ爪に垂直に整列される折り縁を有することにより改良される。
【００１０】
例えば、振動が激しい家具の外枠に押し込まれる引き出しの場合、引き出しフレームに関する底板の移動を阻止するため、この発明の別の実施例によると、タブが、別のかぎ爪が形成される肩部を備えた幅広の区域を有する。その際、連続するタブがそれぞれ、反対方向となるようにタブは引き出しフレームの支持アームから突出される。
【００１１】
それで、タブの幅広区域の肩部に形成されるかぎ爪は、底板の移動力を収容でき、これらのかぎ爪は、タブの整列に対して傾斜して形成されると都合がよい。
【００１２】
この発明の実施例を添付の図１乃至図１９に基づき以下に説明する。
【００１３】
【実施例】
図面から分かるように、上方二重壁の引き出しフレーム部分１内に、底板２、５のための支持アーム７を備える下方フレーム部分３が嵌められる。下方引き出しフレーム部分３内には、引き出し案内セットの図示しない引き出しレールが嵌められる。下方フレーム部分３は一体で仕上げることができるが、上方二重壁の引き出しフレーム部分１の長さに亘り多数の分割部分片から構成することもできる。
【００１４】
支持アーム７から、支持アーム７の長手方向に整列したタブ８が打ち抜かれる。
タブ８は非対称スリット９内にあり、スリットから曲げ出される。スリット９は周辺が閉鎖されている。
【００１５】
タブ８の自由端部では、片側に上向きのかぎ爪４が設けられ、かぎ爪４は同様に支持アーム７および引き出しフレームの長手方向に整列される。
【００１６】
タブ８は前方範囲で湾曲され、かぎ爪４に垂直に向く折り縁１４を備える。かぎ爪４は前部に急峻な短い縁１０を備え、後部に長い縁１１を備える。実施例では、前縁１０は、かぎ爪４の前にあるタブ８の一部８′に垂直に向けられる。
【００１７】
かぎ爪４と対向する側において、タブ８は鋸歯１２、１３を備える。さらに、支持アーム７は、スリット９およびタブ８により中断される縦に走る溝１５を備える。
【００１８】
引き出し底板２、５の組立前に、かぎ爪４を備えたタブ８は支持アーム７の下部にあり、すなわち、下方に向けて支持アーム７から曲げ出される。底板２、５が支持アーム７に載置されると、タブ８は底板２、５に押し付けられる。
【００１９】
底板２は溝無しのものが使用され、かぎ爪４が、場合によりタブの前方区域は、例えば木質繊維板で仕上げられる底板２の材料に押し込まれる。この状態が図１乃至図６で示される。
【００２０】
図７乃至図１２で示すように、下側に溝６を備える底板５を使用すると、タブ８は、さらに底板５内に押され、その際、タブ８は溝６内および底板５の材料内に突入する。かぎ爪４は溝６の側壁１９に押し込まれ、側壁１９に爪を立てる。その際、引き出しフレームでの底板の固定および引き出しフレームの支持アームの底板の固定は、溝６の壁の側で入り込む鋸歯１２、１３により改良される。
【００２１】
タブ８は、溝の両側で同様に底板５の木材に押し込まれる幅広区域１６を備える。幅広区域１６の肩部１６′により、底板５は引き出しフレームまたは上方引き出しフレーム部分１において押され、引き出し内で、底板５と引き出しフレーム間の隙間が確実になくなる。
【００２２】
図１３乃至図１９の実施例では、タブ８の幅広区域１６の肩部１６′にかぎ爪２０が形成される。かぎ爪２０は、タブの列方向に対して傾斜して整列され、固定される底板２、５において底板２、５の木材に突入する。特に、図１３乃至宇１５で示すように、連続するタブ８はそれぞれ、対向して整列される。かぎ爪２０は、例えば、引き出しが家具外枠での激しい振動で移動するとき、底板２、５が支持アーム上で予期せずずれるのを防止する。
【００２３】
タブ８の近辺で、支持アーム７からそれぞれ、くぼみ１７等が打ち抜かれ、くぼみは下方（引き出しの操作位置へ）に向けて支持アーム７から突出される。実施例では、くぼみ１７は円錐部分に対応する。くぼみ１７は引き出しのための離隔片として役立ち、例えば、引き出しの清掃のため、テーブル板に置かれるとき、
支持アーム７から下方へ突出するタブの部分がテーブル板を傷つけない。
【図面の簡単な説明】
【図１】  引き出しフレームの正面および底板を示す垂直断面図。
【図２】  図１のＡＢ線で囲まれた部分の要部拡大斜視図。
【図３】  引き出しフレームの前端部を示す斜視図。
【図４】  図３のＣＤ線で囲まれた部分の要部拡大斜視図。
【図５】  内部から見た引き出しフレームの側面図。
【図６】  図５のＥＦ線で囲まれた部分の要部拡大図。
【図７】  引き出しフレームの正面および底板を示す垂直断面図。
【図８】  図７のＧＨ線で囲まれた部分の要部拡大正面図。
【図９】  引き出しフレームの前端部の側面図。
【図１０】図９のＩＪ線で囲まれた部分の要部拡大図。
【図１１】底板を固定した場合の引き出しフレームの前端部の側面図を示し、底板は溝を備え、この溝の区域を断面で示す。
【図１２】図１１のＫＬ線で囲まれた部分の要部拡大図
【図１３】別の実施例による引き出しフレームを示す斜視図。
【図１４】図１３のＭＮ線で囲まれた部分の要部拡大斜視図。
【図１５】図１３のＯＰ線で囲まれた部分の要部拡大斜視図。
【図１６】タブ区域での引き出しフレームの拡大側面図。
【図１７】タブの区域での引き出しフレームの要部拡大平面図および
【図１８】溝の区域での底板の拡大断面図。
【図１９】図１３乃至図１８の実施例による引き出しフレームの正面図。
【符号の説明】
１    引き出しフレーム部分
２    底板
３    フレーム部分
４    かぎ爪
５    底板
６    溝
７    支持アーム７
８    タブ
９    スリット
１０    短い縁
１１    長い縁
１２    鋸歯
１３    鋸歯
１４    折り縁
１５    溝
１６    幅広区域
１６′  肩部
１７    くぼみ
１９    側壁
２０    かぎ爪
【図１】
0004250772.tif 000002
【図２】
0004250772.tif 000003
【図３】
0004250772.tif 000004
【図４】
0004250772.tif 000005
【図５】
0004250772.tif 000006
【図６】
0004250772.tif 000007
【図７】
0004250772.tif 000008
【図８】
0004250772.tif 000009
【図９】
0004250772.tif 000010
【図１０】
0004250772.tif 000011
【図１１】
0004250772.tif 000012
【図１２】
0004250772.tif 000013
【図１３】
0004250772.tif 000014
【図１４】
0004250772.tif 000015
【図１５】
0004250772.tif 000016
【図１６】
0004250772.tif 000017
【図１７】
0004250772.tif 000018
【図１８】
0004250772.tif 000019
【図１９】
0004250772.tif 000020